(57)【特許請求の範囲】
【請求項１】
建築物躯体上に敷設したＡＬＣパネル上に設置される重量物を支持するボルト穴を備え且つ建築物躯体に定着される定着部と、該定着部に螺合することによって、敷設したＡＬＣパネルの端部を建築物躯体との間に挟み込んで固定する挟持部とからなることを特徴とするＡＬＣパネルの取付金具。
【請求項２】
前記定着部はその上端部に雄ネジを有し且つその上面に前記ボルト穴が設けられており、前記挟持部は該ボルト穴を露出した状態で該雄ネジに螺合可能なナットと、該ナットの周囲に設けられ、敷設したＡＬＣパネルの端部を表面側から押さえつけるフランジとを有していることを特徴とする、請求項１に記載のＡＬＣパネルの取付金具。
【請求項３】
前記定着部の上端部及び前記挟持部を覆うカバー部を更に有していることを特徴とする、請求項１又は２に記載のＡＬＣパネルの取付金具。
【請求項４】
前記カバー部は、その周縁部に防水材を装着するシール部が設けられていることを特徴とする、請求項３に記載のＡＬＣパネルの取付金具。
【請求項５】
前記挟持部と前記カバー部との間に、前記フランジの上面を覆い且つ該フランジと前記ナットとの接合部分で立ち上がる防水シートが挟み込まれていることを特徴とする、請求項３又は４に記載のＡＬＣパネルの取付金具。
【請求項６】
前記重量物に結合されると共に、前記ボルト穴に螺合するボルトを用いて定着部に固定されるジョイント部を更に有していることを特徴とする、請求項１〜５のいずれかに記載のＡＬＣパネルの取付金具。
【請求項７】
前記ジョイント部と前記定着部との対向部分には防水パッキンが挟み込まれていることを特徴とする、請求項６に記載のＡＬＣパネルの取付金具。
【発明の詳細な説明】
【技術分野】
【０００１】
本発明は、軽量気泡コンクリート（ＡＬＣ）パネルをＨ型鉄骨梁などの建築物躯体に屋根材や床材として取付ける際に使用する取付金具に関する。
【背景技術】
【０００２】
ＡＬＣパネルをＨ型鉄骨梁などの建築物躯体に屋根材や床材として取付ける方法には、従来から様々な構造のものが提案されている。例えば図４に示すように、Ｈ型鉄骨梁１の上部フランジ１ａに平板状の金具２０を溶接などで固定し、その上部に設けられた孔２０ａに鉄筋２１を挿通し、この鉄筋２１が目地に位置するようにＡＬＣパネル２を敷設した上で目地にモルタル２２を充填して固定する施工法がある。
【０００３】
しかし、この施工法ではモルタルの養生期間が必要となる上、屋根面がモルタルで汚れることがあった。そこで、モルタルを使用しない乾式の方法が提案されている。例えば特開２００２−３３９４９２には、Ｈ型鉄骨梁に棒状金具を固定し、その先端部に円板状金物をねじ込んで、該円板状金物とＨ型鉄骨梁との間でＡＬＣパネルを締め付ける構造が提案されている。
【０００４】
また、特開２００９−１２１１８１には、図５に示すように、Ｈ型鉄骨梁１の上部フランジ１ａにナット状金具３０を固定し、隣接する２枚のＡＬＣパネル２を跨ぐように配置した座金３１に、その表面側からボルト３２を挿通してナット状金具３０に螺合することによって、座金３１とＨ型鉄骨梁１との間でＡＬＣパネル２を固定する構造が提案されている。
【０００５】
ところで、上記のようにして取り付けられたＡＬＣパネルの上には、機器などの重量物が設置されることがある。この場合、設置後に重量物が動かないように、重量物を建築物躯体に固定することが通常行われている。重量物の固定方法には従来から様々な方法が提案されており、例えば図６に示すように、ＡＬＣパネル２が敷設されているＨ型鉄骨梁１の上部フランジ１ａ上に支持柱４０を固定し、ここにボルト等の接合手段を用いて重量物を固定する方法がある。
【先行技術文献】
【特許文献】
【０００６】
【特許文献１】特開２００２−３３９４９２号公報
【特許文献２】特開２００９−１２１１８１号公報
【発明の概要】
【発明が解決しようとする課題】
【０００７】
上記のように、従来はＡＬＣパネルを建築物躯体に屋根材や床材として取付けるための取付用金具と、ＡＬＣパネル上に設置される重量物の固定のための固定用金具とは別々に設けられていた。そのため、例えば図６に示すように、支持柱４０を貫通させるための貫通孔をＡＬＣパネル２に別途穿孔する必要があり、この部分からの漏水が問題となることがあった。また、該貫通部周りを充填剤４１で充填した上で充填剤４１の露出部分にシーリング４２を施す必要があるため、施工に多くの手間とコストがかかっていた。
【０００８】
本発明は、このような従来の事情に鑑みてなされたものであり、重量物を固定するための金具を別途施工することなく重量物を固定することが可能なＡＬＣパネルの取付用金具を提供することを目的としている。
【課題を解決するための手段】
【０００９】
本発明が提供するＡＬＣパネルの取付金具は、建築物躯体上に敷設したＡＬＣパネル上に設置される重量物を支持するボルト穴を備え且つ建築物躯体に定着される定着部と、該定着部に螺合することによって、敷設したＡＬＣパネルの端部を建築物躯体との間に挟み込んで固定する挟持部とからなることを特徴としている。
【００１０】
上記本発明のＡＬＣパネルの取付金具においては、定着部はその上端部に雄ネジを有し且つその上面にボルト穴が設けられており、挟持部は該ボルト穴を露出した状態で該雄ネジに螺合可能なナットと、該ナットの周囲に設けられ、敷設したＡＬＣパネルの端部を表面側から押さえつけるフランジとを有していることが好ましい。
【００１１】
更に、上記本発明のＡＬＣパネルの取付金具は、定着部の上端部及び挟持部を覆うカバー部を有していることが好ましく、このカバー部は、その周縁部に防水材を装着するシール部が設けられていることがより好ましい。また、挟持部とカバー部との間に、フランジの上面を覆い且つ該フランジとナットとの接合部分で立ち上がる防水シートを挟み込んでもよい。
【００１２】
更に、上記本発明のＡＬＣパネルの取付金具は、重量物に結合されると共に、ボルト穴に螺合するボルトを用いて定着部に固定されるジョイント部を有してもよい。このジョイント部は上記ボルト穴に螺合するボルトを用いて定着部に固定されため、ジョイント部と定着部との対向部分には防水パッキンが挟み込まれているのが好ましい。
【発明の効果】
【００１３】
本発明によれば、１つの取付金具にＡＬＣパネルの取付けと重量物の固定の両方の役割を担わせることができるので、施工性が向上すると共に、重量物の固定用金具の設置に伴う漏水の問題を避けることが出来る。また、必要に応じて、取付金具をカバー部で覆うと共に、取付金具とカバー部との間に防水シートを挟みこむことにより、防水性をより一層高めることが出来る。また、取付金具の上面に設けたボルト穴により、簡単に重量物を固定したり固定状態を解除したり出来る。このように、本発明のＡＬＣパネルの取付金具は、施工性及び経済性に優れ、且つ利便性にも優れている。
【図面の簡単な説明】
【００１４】
【図１】本発明によるＡＬＣパネルの取付金具の一具体例を示す分解図である。
【図２】図１に示すＡＬＣパネルの取付金具の断面図である。
【図３】本発明によるＡＬＣパネルの取付金具の他の具体例を示す分解図である。
【図４】従来のＡＬＣパネルの取付金具の一例を示す斜視図である。
【図５】従来のＡＬＣパネルの取付金具の他の例を示す斜視図である。
【図６】従来のＡＬＣパネル上の重量物の固定用金具の一例を示す斜視図である。
【発明を実施するための形態】
【００１５】
以下、図１及び図２を参照しながら、本発明の一具体例のＡＬＣパネルの取付金具１０を、建築物躯体としてのＨ型鉄骨梁１の上にＡＬＣパネル２が敷設される場合を例にとって説明する。この取付金具１０は、ＡＬＣパネル２が敷設されるＨ型鉄骨梁１の上側フランジ部１ａの上面に、溶接、ねじ込みなどの接合手段によって定着される定着部１１と、定着部１１に螺合する挟持部１２とから構成される。
【００１６】
定着部１１は、上側フランジ部１ａの幅方向の略中央部に、上側フランジ部１ａの上面に対して略垂直に取り付けられている。これにより、定着部１１の側面から挟むようにして、２枚のＡＬＣパネル２の端部を上側フランジ部１ａの上面に載置することができる。このように、定着部１１は隣接する２枚のＡＬＣパネル２の目地部Ａに位置するため、定着部１１の形状は、目地部Ａのスペースにできるだけ収まるような板状又は柱状が好ましい。
【００１７】
特に、後述するように、定着部１１の上端部は、挟持部１２が螺合する雄ネジ１１ｃが形成されるので、より構造が簡易な円柱状がより好ましい。尚、定着部１１の大きさが目地部Ａのスペースに収まりきらない場合は、図１に示すように、ＡＬＣパネル２の縁部に上から見て矩形や半円形等の切り欠き２ａを適宜設ければよい。
【００１８】
定着部１１の上面１１ａにはボルト穴１１ｂが設けられている。このボルト穴１１ｂにボルト１８が螺合するようになっており、これにより後述するように、ＡＬＣパネル２上に設置される機器などの重量物（図示せず）を直接的又は間接的に定着部１１に固定することができる。
【００１９】
定着部１１の上端部はＡＬＣパネル２の表面から突出しており、この上端部の周縁には、雄ネジ１１ｃが螺刻されている。この雄ネジ１１ｃに挟持部１２を螺合することによって、上記した隣接する２枚のＡＬＣパネル２の端部を挟持部１２とＨ型鉄骨梁１との間に挟み込んで固定することができる。
【００２０】
より具体的に説明すると、挟持部１２において、雄ネジ１１ｃと螺合する部分には、貫通したネジ孔を有する矩形のナット１２ａが設けられている。これにより、挟持部１２を定着部１１に螺合しても、重量物固定用のボルト穴１１ｂを露出させておくことができる。尚、ナット１２ａの形状は、ボルト穴１１ｂを露出したまま定着部１１に螺合できるのであれば図１に示す形状に限定されるものでなく、一般的な六角ナットであってもよいし、ボルト穴１１ｂに螺合するボルト１８が挿通し得る貫通孔を設けた袋ナットであってもよい。
【００２１】
ナット１２ａの一端部には、円板状のフランジ１２ｂが設けられている。これにより、ナット１２ａを定着部１１にねじ込んだ時に、ＡＬＣパネル２の端部をフランジ１２ｂとＨ型鉄骨梁１の上側フランジ部１ａとの間に挟み込んで固定することができる。フランジ１２ｂの大きさは、ＡＬＣパネル２の固定に必要な強度に基づいて定められる。尚、図１に示すように、ＡＬＣパネル２の表面に、フランジ１２ｂが嵌合して、フランジ１２ｂの表面とＡＬＣパネル２の表面とが同一平面上（面一）となるように、座掘り部２ｂを予め加工してもよい。
【００２２】
挟持部１２を定着部１１に取り付けた後、ゴム、ビニール等の可撓性材料からなる防水シート１５を挟持部１２の上面全体を覆うように上からかぶせる。この防水シート１５の略中央部には切り込み加工又は穴開け加工が施されており、よって、防水シート１５を挟持部１２にかぶせても、当該加工部分からボルト穴１１ｂを露出させることができる。尚、図１には一例として十字に切り込み加工された切り込み部１５ａが示されている。
【００２３】
この防水シート１５は、フランジ１２ｂの上面と後述するカバー部１３の平坦部１３ｂとで挟み込むことによって固定される。更に、切り込みを入れる場合は切り込み部の端から端までの長さを、穴開け加工の場合は穴の内径を、上から見たナット１２ａの最も狭い部分の幅よりも小さくすることによって、図２に示すように、防水シート１５の略中央部をナット１２ａの側面に沿って立ち上げることが可能となり、この略中央部を、後述するカバー部１３の突出部１３ａとナット１２ａの壁面とで挟み込んで固定することもできる。
【００２４】
取付金具１０は、定着部１１の上端部及び挟持部１２を覆うカバー部１３を有していることが好ましい。このカバー部１３は、挟持部１２のナット１２ａに嵌合する突出部１３ａと、挟持部１２のフランジ１２ｂの上面を全面に亘って覆う平坦部１３ｂとから構成されている。突出部１３ａにおいて、定着部１１の上面１１ａのボルト穴１１ｂに対応する部分には、ボルト１８が挿通できる開口部１３ｃが設けられている。
【００２５】
更に、平坦部１３ｂの周縁部には、全周に亘って断面逆Ｌ字状に折り曲げられたシール部１３ｄが設けられているのが好ましい。このシール部１３ｄに、Ｏリングやコーキング剤等の防水材１４を装着することにより、カバー部１３と防水シート１５との隙間から進入しようとする水を遮断することができる。尚、カバー部１３は、定着部１１のボルト穴１１ｂにボルト１８を螺合することによって定着部１１に固定することができる。
【００２６】
カバー部１３と防水シート１５との間には、更に図３に示すように、補強防水シート１９を挟み込んでもよい。これにより、ＡＬＣパネル２と挟持部１２との隙間から進入しようとする水をより確実に遮断することが可能となる。補強防水シート１９はゴム等の可撓性材料からなる厚み０.５ｍｍ〜５.０ｍｍ程度の薄いシートで形成されているのが好ましく、これにより補強防水シート１９の上からカバー部１３をかぶせて定着部１１のボルト穴１１ｂにボルト１８をねじ込むことによって、上記したＡＬＣパネル２と挟持部１２との隙間のみならず、カバー部１３と挟持部１２との隙間も確実に防水することができる。
【００２７】
補強防水シート１９の形状は、中心部にボルト穴１１ｂに螺合するボルト１８が挿通できる開口部１９ａを有しているのであれば特に限定するものではないが、開口部１９ａの内径が、上から見たナット１２ａの最も狭い部分の幅よりも小さいことが好ましい。これにより、補強防水シート１９の上からカバー部１３をかぶせた時に、前述した防水シート１５の略中央部と同様に、ナット１２ａとフランジ１２ｂとの接合部分で補強防水シート１９の開口部１９ａ近傍を立ち上げることができ、防水効果をより一層高めることができる。
【００２８】
あるいは、補強防水シート１９の形状は、カバー部１３と挟持部１２との間に嵌め込むことができるような立体形状に予め成形されていてもよい。尚、より確実に防水できるように、補強防水シート１９の外縁は、平坦部１３ｂの外縁よりも外側に至る大きさを有していることが好ましい。
【００２９】
取付金具１０は、更に重量物を定着部１１に間接的に固定するジョイント部１６を有しているのが好ましい。このジョイント部１６には、例えば山形鋼を用いることができる。この場合は、ジョイント部１６は、その一方の平板部に設けられたボルト孔１６ａを挿通するボルト１８で定着部１１に固定されると共に、他方の平板部で重量物と結合される。これによって、重量物を定着部１１に間接的に固定することができる。
【００３０】
ジョイント部１６と重量物との結合方法は特に限定するものではなく、例えば長孔状のボルト孔（図示せず）をジョイント部１６の上記他方の平板部に設けて、そこにボルトを挿通して重量物に固定してもよいし、ジョイント部１６を重量物に溶接してもよい。尚、ジョイント部１６を使用せずに、重量物が有するボルト孔にボルトを挿通し、このボルトをボルト穴１１ｂに螺合してもよい。この場合は、重量物を定着部１１に直接固定することができる。
【００３１】
ジョイント部１６を用いて重量物を定着部１１に固定する場合は、ジョイント部１６と定着部１１との対向部分に防水パッキン１７が挟み込まれているのが好ましい。これにより、カバー部１３のボルト用孔１３ｃから侵入しようとする水を防ぐことができる。防水パッキン１７の材質は、ゴムやテフロン等の可撓性材料で形成されているのが好ましく、その形状は、ボルト１８が挿通し得る開口部１７ａを有するのであれば特に限定するものではなく、例えばＯリングや円板状若しくは矩形状の有孔シートを使用することができる。
【符号の説明】
【００３２】
１        Ｈ型鉄骨梁
２        ＡＬＣパネル
１０      ＡＬＣパネルの取付金具
１１      定着部
１２      挟持部
１３      カバー部
１４      防水材
１５      防水シート
１６      ジョイント部
１７      防水パッキン
１８      ボルト
１９      補強防水シート
【図１】
0005450270.tif 000002
【図２】
0005450270.tif 000003
【図３】
0005450270.tif 000004
【図４】
0005450270.tif 000005
【図５】
0005450270.tif 000006
【図６】
0005450270.tif 000007